(57)【特許請求の範囲】
【請求項１】
カメラボディに装着される交換レンズ鏡筒であって、前記交換レンズ鏡筒の本体部に着脱可能に固定されるホルダー部材に接点ピンを取付ける接点ピン取付構造において、
突出接触部及び外方フランジ部を有する接点ピンと、
前記接点ピンを摺動可能に保持する前記ホルダー部材と、
前記接点ピンに導通すべき回路基板と、
前記回路基板と前記接点ピンとの間に挿入され、前記外方フランジ部が前記ホルダー部材に接触する位置まで前記接点ピンを前記ホルダー部材から突出させると同時に前記回路基板と前記接点ピンとを導通させるばね手段とを有し、
前記ホルダー部材に、前記接点ピンの突出接触部に対応する凹部と外方フランジ部に対応する外方フランジ挿入部とを設け、
かつ、この凹部と外方フランジ挿入部とを、前記接点ピンをその軸方向と直交する方向から挿入可能とする、径方向に開放された接点ピン受容スリット部として形成し、
前記交換レンズ鏡筒の本体部に前記ホルダー部材を固定した状態では、前記交換レンズ鏡筒の本体部によって前記ホルダー部材の接点ピン受容スリット部が覆われ、
前記交換レンズ鏡筒の本体部から前記ホルダー部材を取り外した状態では、前記交換レンズ鏡筒の本体部によって前記ホルダー部材の接点ピン受容スリット部が露出する
ことを特徴とする接点ピン取付構造。
【請求項２】
請求項１記載の接点ピン取付構造において、
前記ホルダー部材は、前記接点ピン受容スリット部に続けて、前記回路基板を固定する固定壁を有している接点ピン取付構造。
【請求項３】
請求項１または請求項２記載の接点ピン取付構造において、
前記接点ピンは、前記カメラボディと交換レンズ鏡筒との間で情報または電力を授受し、前記ホルダー部材は、前記接点ピンの前記突出接触部を突出させる穴部を有する前記交換レンズ鏡筒の本体部によって覆われている接点ピン取付構造。
【発明の詳細な説明】
【０００１】
【技術分野】
本発明はホルダー部を有する接点ピン構造に関し、とくにレンズ鏡筒の接点取り付け構造に関する。
【０００２】
【従来技術及びその問題点】
従来のレンズ鏡筒においては、図７及び図８に示すように、ホルダー部８０は、第１ホルダー部５５とその裏側に固定された別体の第２ホルダー部７０によって形成されており、第１ホルダー部５５の外周に沿って接点ピン６０が配置されていた。接点ピン６０は、ホルダー部８０内に外方フランジ部６２、突出接触部６３、ばね１００を配置した状態で、第１ホルダー部５５と第２ホルダー部７０を固定することにより、ホルダー部８０に固定される。このとき、ホルダー部８０内にその先端が配置された回路基板９０も第２ホルダー部７０と第１ホルダー部５５との間に挟まれた状態で固定される。ばね１００は、円柱状の接点ピン６０の軸方向６０ａに伸縮可能であるため、接点ピン６０をその軸方向６０ａにおいて第２ホルダー部７０側へ押し込むと、その先端が回路基板９０に接触したばね１００は次第に縮んで突出接触部６３の先端が回路基板９０に接触することによって、回路基板９０と突出接触部６３との電気的導通をとることができる。
【０００３】
しかし、従来の構成においては、第２ホルダー部７０と第１ホルダー部５５とが別体であることにより、接点ピン６０及び回路基板９０を所定の位置に維持しつつ第１ホルダー部５５と第２ホルダー部７０の二つの部材の固定をしなければならないため、接点ピン６０及び回路基板９０の取り付けに時間を要していた。また、いったん固定された第１ホルダー部５５と第２ホルダー部７０をばらして接点ピン１０の調整を行うのは困難であった。
【０００４】
【発明の目的】
そこで本発明の目的は、接点ピンを収容するホルダー部を１つの部材で構成することによって接点ピンの取り付けが容易となる接点ピン構造を提供することにある。
【０００５】
【発明の概要】
前記問題点を解決するために、本発明は、カメラボディに装着される交換レンズ鏡筒であって、前記交換レンズ鏡筒の本体部に着脱可能に固定されるホルダー部材に接点ピンを取付ける接点ピン取付構造において、突出接触部及び外方フランジ部を有する接点ピンと、前記接点ピンを摺動可能に保持する前記ホルダー部材と、前記接点ピンに導通すべき回路基板と、前記回路基板と前記接点ピンとの間に挿入され、前記外方フランジ部が前記ホルダー部材に接触する位置まで前記接点ピンを前記ホルダー部材から突出させると同時に前記回路基板と前記接点ピンとを導通させるばね手段とを有し、前記ホルダー部材に、前記接点ピンの突出接触部に対応する凹部と外方フランジ部に対応する外方フランジ挿入部とを設け、かつ、この凹部と外方フランジ挿入部とを、前記接点ピンをその軸方向と直交する方向から挿入可能とする、径方向に開放された接点ピン受容スリット部として形成し、前記交換レンズ鏡筒の本体部に前記ホルダー部材を固定した状態では、前記交換レンズ鏡筒の本体部によって前記ホルダー部材の接点ピン受容スリット部が覆われ、前記交換レンズ鏡筒の本体部から前記ホルダー部材を取り外した状態では、前記交換レンズ鏡筒の本体部によって前記ホルダー部材の接点ピン受容スリット部が露出することを特徴としている。
【０００６】
ばね手段は、例えば圧縮コイルバネから構成することができる。
【０００７】
さらに、ホルダー部材は、接点ピン受容スリット部に続けて、回路基板を固定する固定壁を有していることが好ましい。
【０００８】
また、接点ピンは、カメラボディと交換レンズ鏡筒との間で情報または／及び電力を授受し、ホルダー部材は、接点ピンの突出接触部を突出させる穴部を有する交換レンズ鏡筒の本体部によって覆われていてもよい。
【０００９】
【発明の実施形態】
以下、本発明にかかる実施形態を図面を参照しつつ詳しく説明する。
本実施形態は、図１〜図４に示すように、本発明にかかる接点ピン構造１をカメラ用レンズ鏡筒に適用したものであって、接点ピン構造１は、接点ピン１０、本体部２、本体部２の端面２ａの上部２ｂに設けられたホルダー部材２６、回路基板３０、ばね手段５０を有する。
【００１０】
図２に示すように、レンズ鏡筒の本体部４０とは別に成形したホルダー部材２６を有する本体部２は、レンズ鏡筒の本体部４０にねじ止めして固定されている。接点ピン１０は、レンズ鏡筒の本体部４０において、ホルダー部材２６に対応する部分に設けられた穴部４３から挿入される。このように構成することにより、レンズ鏡筒の本体部４０がホルダー部材２６の上部を覆う部材を兼ねることができるため部材点数を減らすことができる。
【００１１】
図３及び図４に示すように、接点ピン１０は、略円柱状の突出接触部１１と、突出接触部１１と同軸にその端部から延びている円柱状のばね圧入軸部１３と、突出接触部１１及びばね圧入軸部１３の間に同軸に配置された円板状の外方フランジ部１２と、を有する。ばね圧入軸部１３の周囲には円筒状の圧縮コイルバネからなるばね手段５０が同心状に配置されていて、ばね手段５０はその軸方向に伸縮可能である。
【００１２】
ホルダー部材２６は、外方フランジ部１２が挿入される略円筒状の外方フランジ挿入部２２と、外方フランジ挿入部２２と一体に形成される略円筒状の凹部２０とによって構成される。凹部２０はレンズ鏡筒の軸方向４０ａに平行に延び、ばね圧入軸部１３を摺動可能に保持できる。外方フランジ挿入部２２と凹部２０の上方は、接点ピン１０及びばね手段５０をレンズ鏡筒の軸方向４０ａと直交する方向から外方フランジ挿入部２２と凹部２０内へ挿入可能であり、かつ、接点ピン１０を調整するために開放されている。すなわち、外方フランジ挿入部２２と凹部２０は、接点ピン１０をその軸方向と直交する方向から挿入可能とする、径方向に開放された接点ピン受容スリット部２２と２０として構成されている。
【００１３】
ホルダー部材２６には、凹部２０に続けて回路基板３０を固定するための固定壁２５がレンズ鏡筒の径方向の面に設けられている。固定壁２５上には、その下部に設けられたスリット２４から挿入された回路基板（ＦＰＣ）３０の先端部分が配置されている。
【００１４】
図５に示すように、接点ピン１０の外方フランジ挿入部２２と凹部２０（接点ピン受容スリット部）への挿入は、ばね手段５０に接点ピン１０のばね圧入軸部１３を挿入した状態で、外方フランジ挿入部２２と凹部２０の上方からばね手段５０を固定壁２５及び回路基板３０に押し付けながら行う。ばね圧入軸部１３を凹部２０に、外方フランジ部１２を外方フランジ挿入部２２内に挿入した後、接点ピン１０を押し付ける力を解放するとばね手段５０の弾性力により外方フランジ部１２は外方フランジ挿入部２２の内側面２２ｂに押し付けられるため、接点ピン１０は抜け止められる。また、レンズ鏡筒の軸方向４０ａにおいて、外方フランジ挿入部２２の長さは、外方フランジ部１２の長さより長くしてあるため、接点ピン１０に力を与えることによって、外方フランジ部１２は、レンズ鏡筒の軸方向４０ａにおいて、外方フランジ挿入部２２内で移動可能である。なお、接点ピン１０をホルダー部材２６に装着した後は、レンズ鏡筒の本体４０によって凹部２０の上方は覆われるが、本体４０を取り外すことによりホルダー部材２６の調整を行うことができる。
【００１５】
外方フランジ部１２をフランジ挿入部２２に挿入すると、突出接触部１１の端部は本体部２の端面２ａから突出し、かつ、接点ピン１０をばね手段５０の弾性力に抗して、外方フランジ部１２がフランジ挿入部２２の奥側内側面２２ａに接触する位置まで押し込んだ状態においても、突出接触部１１の端部は端面２ａから突出するようになっている。
【００１６】
以上の構成により、接点ピンが付勢されていない状態においてはばね圧入軸部１３は回路基板３０に接触していないが、接点ピン１０にレンズ鏡筒の軸方向４０ａの力を加えて行くとばね手段５０は次第に縮み、所定の力を加えたところでばね圧入軸部１３とばね手段５０の長さは同一となってばね圧入軸部１３は回路基板３０に接触する。突出接触部１１及びばね圧入軸部１３は金属製であるため、ばね圧入軸部１３が回路基板３０に接触すると回路基板３０、ばね圧入軸部１３、突出接触部１１が電気的に導通する。このときも、突出接触部１１は端面２ａから突出しているため、レンズ鏡筒が装着されるカメラ本体（不図示）側においてホルダー部材２６に対応する位置に配置された金属製の接点（不図示）に接触可能である。したがって、レンズ鏡筒をカメラ本体にマウントすると、金属製の接点が接点ピン１０に押し付けられることにより、ばね手段５０が縮んでばね圧入軸部１３が回路基板３０に接触して、回路基板３０、ばね圧入軸部１３、突出接触部１１及び接点が電気的に導通する。このため、レンズ鏡筒とカメラ本体との間で電気信号により各種情報または／及び電力情報のやりとりを行なうことができる。また、カメラ本体からレンズ鏡筒を取り外すなどにより接点ピン１０に対する押し付け力を取り除くと縮んでいたばね手段５０はその弾性力により回復するため、外方フランジ部１２はフランジ挿入部２２内の端面２ａ側の内側面２２ｂに接触する位置までもどる。
【００１７】
また、ホルダー部材２６は、一体に形成された凹部２０とフランジ挿入部２２により構成されているため、従来のように接点ピン６０のホルダー部８０への装着のときに接点ピン６０を支えつつ複数の部材を固定する必要がなく、接点ピン１０をホルダー部材２６に挿入するだけで接点ピン構造１を構成することができる。
【００１８】
次に、本実施形態の変形例について説明する。
図６に示すように、ホルダー部材２６をレンズ鏡筒の固定環（マウント環）４１の端部上方に設けることもできる。この場合は、固定環４１が固定される本体部４０において、ホルダー部材２６に対応する部分に設けられた穴部４２から接点ピン１０を挿入する。このように構成することにより、本体部４０が固定環４１の上部を覆う部材を兼ねることができるため部材点数を減らすことができる。
【００１９】
本発明について前記実施形態を参照しつつ説明したが、本発明は前記実施例に限定されるものではなく、改良の目的または本発明の思想の範囲内において改良または変更が可能である。
【００２０】
【発明の効果】
以上説明したように、本発明によると、接点ピンを収容するホルダー部材に、接点ピンの突出接触部に対応する凹部と外方フランジ部に対応する外方フランジ挿入部とを設け、かつ、この凹部と外方フランジ挿入部とを、接点ピンをその軸方向と直交する方向から挿入可能とする、径方向に開放された接点ピン受容スリット部として形成したことによって、接点ピンの取り付けを容易とすることができる。
【図面の簡単な説明】
【図１】（ａ）は本発明の実施形態にかかる接点ピン構造を斜め前から見た斜視図、（ｂ）は斜め後方から見た斜視図である。
【図２】本発明の実施形態にかかる接点ピン構造とレンズ鏡筒の本体とが固定された状態を示す側面図である。
【図３】本発明の実施形態にかかる接点ピンの構成を示す図である。
【図４】（ａ）は本発明の実施形態にかかる接点ピン構造の上面図であり、（ｂ）はその側面図である。
【図５】本発明の実施形態において接点ピンをホルダー部材に装着するときの様子を示す側面図である。
【図６】本発明の実施形態の変形例を示す概略図である。
【図７】従来の接点ピン構造の正面図である。
【図８】従来の接点ピン構造の側面図である。
【符号の説明】
１  接点ピン構造
１０  接点ピン
１１  突出接触部
１３  ばね圧入軸部
１２  外方フランジ部
２０  凹部（接点ピン受容スリット部）
２２  外方フランジ挿入部（接点ピン受容スリット部）
２６  ホルダー部材
３０  回路基板
５０  ばね手段
【図１】
0004355137.tif 000002
【図２】
0004355137.tif 000003
【図３】
0004355137.tif 000004
【図４】
0004355137.tif 000005
【図５】
0004355137.tif 000006
【図６】
0004355137.tif 000007
【図７】
0004355137.tif 000008
【図８】
0004355137.tif 000009